(57)【要約】【課題】布地についての優れた洗浄性を得る。【解決手段】布地洗浄具１０は、セル数が２５ｍｍ当たり８〜１５個である軟質ウレタンフォームのスポンジで形成された布地洗浄部１１を備える。【選択図】図１
2009285340.tif 000002
【特許請求の範囲】
【請求項１】
セル数が２５ｍｍ当たり８〜１５個である軟質ウレタンフォームのスポンジで形成された布地洗浄部を備えた布地洗浄具。
【請求項２】
上記布地洗浄部の布地接触側とは反対側に貼設されセル数が２５ｍｍ当たり２０〜８０個である軟質ウレタンフォームのスポンジで形成された吸水起泡部をさらに備えた請求項１に記載の布地洗浄具。
【請求項３】
洗浄対象である布地を、洗剤を介在させて、セル数が２５ｍｍ当たり８〜１５個である軟質ウレタンフォームのスポンジで擦る布地の洗浄方法。
【発明の詳細な説明】
【技術分野】
【０００１】
本発明は、布地洗浄具及びそれを用いた布地の洗浄方法に関する。
【背景技術】
【０００２】
衣料等の布地を洗浄する場合、汚れのひどい部分や染みの付いた部分については、洗剤を付けて擦る等の洗浄を行う、或いは、かかる洗浄を行った後に洗濯機に投入することが一般に行われる。
【０００３】
特許文献１〜６には、衣料に洗剤を塗布した後、手もみしたり、ブラシやスポンジ等で擦るのが一般的であると記載されている。
【特許文献１】特表平１１−５１０７１４号公報
【特許文献２】特表平１１−５０３０５９号公報
【特許文献３】特開平１１−１６９５７８号公報
【特許文献４】特開２０００−１８９６８９号公報
【特許文献５】特開２００１−７８５号公報
【特許文献６】特開２００１−２７５７５３号公報
【発明の開示】
【発明が解決しようとする課題】
【０００４】
しかしながら、上記特許文献１〜６に開示された洗濯用具について、その構成は明確ではなく、用いられうるスポンジも食器洗浄用のスポンジ程度にしか考えられないのが現状である。
【０００５】
本発明の目的は、布地を傷めずに、布地についての優れた洗浄性を得ることである。
【課題を解決するための手段】
【０００６】
本発明の布地洗浄具は、セル数が２５ｍｍ当たり８〜１５個である軟質ウレタンフォームのスポンジで形成された布地洗浄部を備える。
【０００７】
本発明の布地の洗浄方法は、洗浄対象である布地を、洗剤を介在させて、セル数が２５ｍｍ当たり８〜１５個である軟質ウレタンフォームのスポンジで擦るものである。
【発明の効果】
【０００８】
本発明によれば、洗剤を介在させて洗浄対象である布地を擦る際に、セル数が２５ｍｍ当たり８〜１５個である軟質ウレタンフォームのスポンジを用いるので、布地を傷めずに、布地についての優れた洗浄性を得ることができる。
【発明を実施するための最良の形態】
【０００９】
以下、実施形態について詳細に説明する。
【００１０】
（布地洗浄具）
図１は、本実施形態に係る布地洗浄具１０を示す。
【００１１】
布地洗浄具１０は、直方体形状に形成されている。この形状は生産性の観点から好ましい。但し、布地洗浄具１０の形状はこれに限定されるものではなく、例えば、立法体形状、円柱形状、又は楕円体形状に形成されていてもよく、また、不定形形状に形成されていてもよい。例えば、図２（ａ）に示すように、局所的な汚れに対して力が加わりやすいように尖塔部を有した平面視で台形のブロック状に形成された形状であってもよく、図２（ｂ）に示すように、さらに持ちやすさを考慮して幅方向の一方の上縁を面取りした形状であってもよい。
【００１２】
布地洗浄具１０は、洗浄作業の作業性の観点から、サイズが、例えば、長さ７〜１５ｃｍ、幅５〜１０ｃｍ、及び厚さ２〜８ｃｍであることが好ましい。
【００１３】
布地洗浄具１０は、布地接触側である下側に設けられた布地洗浄部１１とその布地接触側とは反対側である上側に接着剤等により一体に貼設された吸水起泡部１２とを備えた積層構造を有する。
【００１４】
布地洗浄部１１は、洗剤を介在させて洗濯対象である布地を擦る部分であり、セル数が２５ｍｍ当たり８〜１５個である、好ましくは１０〜１５個である軟質ウレタンフォームのスポンジで形成されている。セル数が２５ｍｍ当たり８〜１５個であることにより、セルを形成する骨格及びその剛性が適度なものとなるので、布地を損傷させることなく優れた洗浄性を得ることができる。ここで、本出願において「軟質ウレタンフォーム」とは、岩田敬治著、「ポリウレタン樹脂ハンドブック」（１９８７年初版）日刊工業新聞社、ｐ．１５０〜２２１に記載の、一般的にオープンセル構造を有し、高い通気性を示す可逆変形可能なフォームをいう。軟質ウレタンフォームの物性は、特に限定されるものではないが、一般的には、ＪＩＳ  Ｋ７２２２に基づいて測定されるみかけ密度が１０〜１００ｋｇ／ｍ３、ＪＩＳ  Ｋ６４００−５に基づいて測定される伸び率が８０〜５００％の範囲のものをいう。また、「スポンジ」とは、多孔性の海綿体状構造物をいう。さらに、セル数は、ＪＩＳ６４００−１付属書１に基づいて測定することができる。  
【００１５】
布地洗浄部１１を形成する軟質ウレタンフォームは、例えば、密度が２０〜５０ｋｇ／ｍ３、伸び率が８０〜３００％が好ましい。
【００１６】
布地洗浄部１１を形成する軟質ウレタンフォームは、エステル系のものであってもよく、また、エーテル系のものであってもよい。
【００１７】
布地洗浄部１１は、厚さが例えば２〜７０ｍｍであることが好ましい。
【００１８】
布地洗浄部１１は、布地洗浄部１１の縦横それぞれ５０ｍｍで且つ厚さ１０ｍｍの板状試験片に、孔径１ｍｍのスポイトを用いて、板状試験片の上方２０ｍｍの高さから濃度１０００ｐｐｍの界面活性剤の水溶液を５秒間で３ｇ滴下したときに、板状試験片を通過する水溶液の量が１ｇに達するまでの液通過時間が２．５〜７．０秒である程度の液通過性を有することが好ましい。
【００１９】
布地洗浄部１１は、洗浄性及び使い勝手の観点から、ＡＳＴＭ Ｄ１０５６に基づいて測定される２５％圧縮荷重が５〜１００ｋＰａであることが好ましく、１０〜７０ｋＰａであることがより好ましく、２０〜５０ｋＰａであることが特に好ましい。
【００２０】
吸水起泡部１２は、布地を洗浄する際、水及び洗剤水溶液を保持すると共に、空気を抱き込んで洗剤水溶液を泡立たせ、布地洗浄部１１による洗浄性を高める部分であり、軟質ウレタンフォームのスポンジで形成されている。
【００２１】
吸水起泡部１２を形成する軟質ウレタンフォームは、例えば、密度が１５〜８０ｋｇ／ｍ３、伸び率が８０〜３００％である。
【００２２】
吸水起泡部１２を形成する軟質ウレタンフォームは、エステル系のものであってもよく、また、エーテル系のものであってもよい。
【００２３】
吸水起泡部１２を形成する軟質ウレタンフォームのスポンジは、上記水及び洗剤水溶液の保持性並びに起泡性の観点から、セル数が２５ｍｍ当たり２０〜８０個であることが好ましく、３０〜６０個であることがより好ましい。
【００２４】
吸水起泡部１２は、水及び洗剤水溶液の保持性の観点から、液通過時間が８．０秒以上である程度の液通過性を有することが好ましい。
【００２５】
布地洗浄部１１と吸水起泡部１２との体積割合は、布地洗浄部１１／吸水起泡部１２＝１／３５〜７／１であることが好ましい。
【００２６】
なお、本実施形態では、布地洗浄部１１と吸水起泡部１２とを有する布地洗浄具１０としたが、特にこれに限定されるものではなく、布地洗浄部のみで布地洗浄具を構成してもよい。但し、水及び洗剤水溶液を保持して十分に泡立たせた後に布地を擦った方がより高い洗浄性を得ることができる観点からは、本実施形態の構成の方が好ましい。また、その他、布地洗浄具は、他の用途のスポンジを有する構成であってもよく、さらに、プラスチック製ハンドル等の他部材を有する構成であってもよい。
【００２７】
（布地の洗浄方法）
本実施形態に係る布地の洗浄方法では、洗浄対象である布地を、洗剤を介在させて、上記布地洗浄具１０の布地洗浄部１１、つまり、セル数が２５ｍｍ当たり８〜１５個である軟質ウレタンフォームのスポンジで擦るものである。
【００２８】
洗浄対象である布地は、衣料全般を含み特に限定されるものではないが、本実施形態に係る布地の洗浄方法は、特にＹシャツの襟や袖、靴下の汚れを落とすのに効果的である。
【００２９】
洗剤は、固形状洗剤、粉末状洗剤、ペースト状洗剤、液体状洗剤等特に限定されるものではないが、塗布の容易さの観点からはペースト状洗剤及び液体状洗剤を用いることが好ましく、また、塗布量の確認の容易さの観点からはペースト状洗剤を用いることが好ましい。
【００３０】
洗浄に用いる洗剤は、繊維製品や用いる水の量、汚れの度合い等により適量を用いればよい。
【００３１】
洗浄した布地は、濯いだ後に水を絞って乾燥させてもよく、また、洗濯機に投入して本洗濯に供してもよい。
【実施例】
【００３２】
以下、実施例について説明する。
【００３３】
（洗剤及び布地洗浄具）
＜洗剤＞
洗剤Ａ〜Ｅを準備した。洗剤Ａ〜Ｅは、具体的には、
○洗剤Ａ：固形洗濯用石鹸（ミヨシ石鹸株式会社製）
○洗剤Ｂ：粉末衣料用洗剤（花王社製  商品名：アタック）
○洗剤Ｃ：ペースト状洗剤（脂肪酸ナトリウム１を２０．０質量％、脂肪酸ナトリウム２を５．０質量％、脂肪酸ナトリウム３を３．０質量％、非イオン界面活性剤１を１．２質量％、非イオン界面活性剤２を１．０質量％、アルキルエーテル硫酸Ｎａを７．４質量％、両性界面活性剤１を０．８質量％、両性界面活性剤２を１．０質量％、亜硫酸ナトリウム０．１質量％、ポリアクリル酸ナトリウムを１０．０質量％、粘度調整剤を１．０質量％、溶解性促進剤１を１．５質量％、溶解性促進剤２を０．５質量％、溶解性促進剤３を４．０質量％、ｐＨ調整剤を０．２質量％、香料を０．３質量％、及び水を４３．０質量％の成分比で万能撹拌機を用いて混合して得られたもの）
但し、
・脂肪酸ナトリウム１：オレイン酸ナトリウム（花王社製  商品名：ルナックＯ−Ａを炭酸ナトリウムでドライ中和して細かく砕いたもの
・脂肪酸ナトリウム２：パルミチン酸ナトリウム（花王社製  商品名：ルナックＰ−９５を炭酸ナトリウムでドライ中和して細かく砕いたもの
・脂肪酸ナトリウム３：ヤシ油脂肪酸ナトリウム
・非イオン界面活性剤１：炭素数１２〜１４の直鎖２級アルコールエトキシレート（日本触媒社製  商品名：ソフタノール７０）
・非イオン界面活性剤２：アルキルグルコシド、ドデシルグルコシド（糖平均縮合度＝１．５）
・アルキルエーテル硫酸Ｎａ：炭素数１２のアルコールにエチレンオキシド平均１．５モル、プロピレンオキシド平均２モル、及びエチレンオキシド平均０．４モルのブロック付加物
・両性界面活性剤１：ジメチルラウリルアミンオキサイド（花王社製  商品名：アンヒトール２０Ｎ、純分換算量）
・両性界面活性剤２：ラウリル（２−ヒドロキシ−３−スルホプロピル）ジメチルベタイン（花王社製  商品名：アンヒトール２０ＨＤ、純分換算量）
・亜硫酸ナトリウム：和光純薬工業社製
・ポリアクリル酸ナトリウム：ＢＡＳＦ社製  商品名：SokalanPA 40 powder、平均分子量１５０００
・メチルグリシン二酢酸三Ｎａ：ＢＡＳＦジャパン社製  商品名：トリロンＭ、純分換算量
・粘度調整剤：ポリプロピレングリコール（旭硝子社製  商品名：ＰＰＧ-1000）
・溶解促進剤１：ｐ−トルエンスルホン酸ナトリウム
・溶解促進剤２：三井化学ポリウレタン社製  プロピレングリコール
・溶解促進剤３：エタノール、純分換算量
・ｐＨ調整剤：４８質量％水酸化ナトリウム水溶液、純分換算量
・香料：特開平８−２３９７００号公報の実施例記載の組成の香料
である。
○洗剤Ｄ：液体衣料用洗剤（花王社製  商品名：液体アタック）
○洗剤Ｅ：液体食器用洗剤（花王社製  商品名：ファミリーフレッシュ）
である。
【００３４】
＜布地洗浄具＞
布地洗浄具１〜１２を準備した。布地洗浄具１〜１２は、具体的には、
○布地洗浄具１：長さ１２０ｍｍ、幅７０ｍｍ、及び厚さ４０ｍｍの直方体形状のスポンジ（８）で形成された布地洗浄部のみからなる布地洗浄具
○布地洗浄具２：長さ１２０ｍｍ、幅７０ｍｍ、及び厚さ４０ｍｍの直方体形状のスポンジ（10）で形成された布地洗浄部のみからなる布地洗浄具
○布地洗浄具３：長さ１２０ｍｍ、幅７０ｍｍ、及び厚さ４０ｍｍの直方体形状のスポンジ（13）で形成された布地洗浄部のみからなる布地洗浄具
○布地洗浄具４：長さ１２０ｍｍ、幅７０ｍｍ、及び厚さ４０ｍｍの直方体形状のスポンジ（15）で形成された布地洗浄部のみからなる布地洗浄具
○布地洗浄具５：長さ１２０ｍｍ、幅７０ｍｍ、及び厚さ１８ｍｍの直方体形状のスポンジ（８）で形成された布地洗浄部の上側に厚さ２２ｍｍのスポンジ（20）で形成された吸水起泡部が貼設された布地洗浄具
○布地洗浄具６：長さ１２０ｍｍ、幅７０ｍｍ、及び厚さ１８ｍｍの直方体形状のスポンジ（８）で形成された布地洗浄部の上側に厚さ２２ｍｍのスポンジ（50）で形成された吸水起泡部が貼設された布地洗浄具
○布地洗浄具７：長さ１２０ｍｍ、幅７０ｍｍ、及び厚さ１８ｍｍの直方体形状のスポンジ（８）で形成された布地洗浄部の上側に厚さ２２ｍｍのスポンジ（80）で形成された吸水起泡部が貼設された布地洗浄具
○布地洗浄具８：長さ１２０ｍｍ、幅７０ｍｍ、及び厚さ１８ｍｍの直方体形状のスポンジ（13）で形成された布地洗浄部の上側に厚さ２２ｍｍのスポンジ（20）で形成された吸水起泡部が貼設された布地洗浄具
○布地洗浄具９：長さ１２０ｍｍ、幅７０ｍｍ、及び厚さ１８ｍｍの直方体形状のスポンジ（13）で形成された布地洗浄部の上側に厚さ２２ｍｍのスポンジ（50）で形成された吸水起泡部が貼設された布地洗浄具
○布地洗浄具１０：長さ１２０ｍｍ、幅７０ｍｍ、及び厚さ１８ｍｍの直方体形状のスポンジ（13）で形成された布地洗浄部の上側に厚さ２２ｍｍのスポンジ（80）で形成された吸水起泡部が貼設された布地洗浄具
○布地洗浄具１１：長さ１２０ｍｍ、幅７０ｍｍ、及び厚さ４０ｍｍの直方体形状のスポンジ（６）で形成された布地洗浄部のみからなる布地洗浄具
○布地洗浄具１２：長さ１２０ｍｍ、幅７０ｍｍ、及び厚さ４０ｍｍの直方体形状のスポンジ（20）で形成された布地洗浄部のみからなる布地洗浄具
である。
【００３５】
ここで、スポンジは、具体的には、  
・スポンジ（６）：セル数が２５ｍｍ当たり６個、密度３０ｋｇ/ｍ３、伸び率が９０％であるポリエステル系軟質ウレタンフォームのスポンジ
・スポンジ（８）：セル数が２５ｍｍ当たり８個、密度３０ｋｇ/ｍ３、伸び率が１００％であるポリエステル系軟質ウレタンフォームのスポンジ
・スポンジ（10）：セル数が２５ｍｍ当たり１０個、密度３０ｋｇ/ｍ３、伸び率が１３０％であるポリエステル系軟質ウレタンフォームのスポンジ
・スポンジ（13）：セル数が２５ｍｍ当たり１３個、密度３０ｋｇ/ｍ３、伸び率が１５０％であるポリエステル系軟質ウレタンフォームのスポンジ
・スポンジ（15）：セル数が２５ｍｍ当たり１５個、密度３０ｋｇ/ｍ３、伸び率が１５０％であるポリエステル系軟質ウレタンフォームのスポンジ
・スポンジ（20）：セル数が２５ｍｍ当たり２０個、密度３０ｋｇ/ｍ３、伸び率が１５０％であるポリエステル系軟質ウレタンフォームのスポンジ
・スポンジ（50）：セル数が２５ｍｍ当たり５０個、密度３０ｋｇ/ｍ３、伸び率が２００％であるポリエステル系軟質ウレタンフォームのスポンジ
・スポンジ（80）：セル数が２５ｍｍ当たり８０個、密度７５ｋｇ/ｍ３、伸び率が２００％であるポリエステル系軟質ウレタンフォームのスポンジ
である。
【００３６】
（試験評価方法）
＜保水性＞
布地洗浄具１〜１２のそれぞれについて、６ｇの面積分を切り出して試験片とし、それを水中に投入して水から引き上げた後の吸水後質量（ｇ）を測定し、その測定値から吸水前質量（６ｇ）を差し引いたものを吸水量（ｇ）とした。そして、保水性を、下記式
保水性＝吸水量（ｇ）／吸水前質量（６ｇ）
によって算出した。
【００３７】
＜起泡性＞
布地洗浄具１〜１２のそれぞれについて、長さ１２０ｍｍ、幅７０ｍｍ、及び厚さ４０ｍｍの形状に切り出して試験片とし、それに洗剤Ｃを３ｇ塗布し、水を十分に馴染ませた後、手で２０回揉んだ。そして、起泡性を以下の判定基準
○：指と指の間から泡がはみだした後、下に落下する程度発泡する
△：指と指の間から泡がはみだすが、落下するほど泡立たない
×：指と指の間から泡がはみださない
により評価した。
【００３８】
＜洗浄性＞
−実施例１−
全自動２槽式洗濯機（東芝銀河３．６）の洗濯槽にＪＩＳ Ｋ３３６２：１９９８に記載された使用水４０Ｌを入れ、これに３０足の新品靴下（グンゼ社製  商品名：サポート＆クリーン（綿・アクリル・ポリエステル・ポリウレタン製））を入れ、そこにさらにＪＩＳ Ｋ３３６２：１９９８に記載された洗浄力判定用指標洗剤（蛍光増白剤無添加）を５３ｇ（無水物換算）投入した。そして、洗濯１０分、脱水１分、１５Ｌ／ｍｉｎの水量での流水濯ぎ８分、脱水５分の処理を行った後、室内で自然乾燥させた。これを５サイクル繰り返した。
【００３９】
上記の靴下を小中学生１０人に配布して１日着用してもらい、回収した靴下のうち、汚れの量が多いもので且つ左右の汚れが同等のものを６足（１２枚）選び、このうち左半分の６枚を洗濯前処理用の靴下汚れ布とし、右半分の６枚をブランク用の靴下汚れ布とし、洗浄性の試験評価に使用した。
【００４０】
自動２槽式洗濯機（東芝銀河３．６）の洗濯槽にＪＩＳ Ｋ３３６２：１９９８に記載された使用水４０Ｌを入れ、これに１．４ｋｇの綿製の未着用肌着及び０．６ｋｇの綿／ポリエステル混紡の未着用ワイシャツを入れ、そこにさらにＪＩＳ Ｋ３３６２：１９９８に記載された洗浄力判定用指標洗剤（蛍光増白剤無添加）を５３ｇ（無水物換算）投入した。
【００４１】
洗剤Ｃ３ｇを洗濯用スポンジに塗布して適量の水で泡立てた後、布地洗浄具１を用いて、ステンレス製の洗面台に置いた靴下汚れ布を１枚当たり１分間擦り洗いする洗濯前処理を行った。
【００４２】
上記洗濯槽に洗濯前処理を施した靴下汚れ布６枚（３段階の汚れを各２枚ずつ）を入れて１０分間普通洗浄し、その後脱水１分、１５Ｌ／ｍｉｎの水量での流水濯ぎ８分、脱水５分の処理を行った後、室内で自然乾燥させた。
【００４３】
そして、洗濯前処理を施さないで１０分間普通洗浄を行った靴下汚れ布をブランクとして、目視により一対比較し、洗浄性を以下の判定基準
◎：３段階の汚れ全てにおいて、ブランクより明らかに汚れが落ちている
○：３段階の汚れ全てにおいて、ブランクよりやや汚れが落ちている
△：３段階の汚れ全てにおいて、ブランクとほとんど差がない
×：３段階の汚れ全てにおいて、ブランクより汚れ落ちに劣る
により評価した。
【００４４】
これを実施例１とした。
【００４５】
−実施例２〜１７並びに比較例１及び２−
同様に、洗剤Ｃと布地洗浄具２との組合せを実施例２、洗剤Ｃと布地洗浄具３との組合せを実施例３、洗剤Ｃと布地洗浄具４との組合せを実施例４、洗剤Ｃと布地洗浄具５との組合せを実施例５、洗剤Ｃと布地洗浄具６との組合せを実施例６、洗剤Ｃと布地洗浄具７との組合せを実施例７、洗剤Ｃと布地洗浄具８との組合せを実施例８、洗剤Ｃと布地洗浄具９との組合せを実施例９、洗剤Ｃと布地洗浄具１０との組合せを実施例１０、洗剤なしと布地洗浄具３との組合せを実施例１１、洗剤なしと布地洗浄具９との組合せを実施例１２、洗剤Ｃと布地洗浄具１１との組合せを比較例１、及び洗剤Ｃと布地洗浄具１２との組合せを比較例２とした。
【００４６】
また、洗剤Ａと布地洗浄具９との組合せを実施例１３、洗剤Ｂと布地洗浄具９との組合せを実施例１４、洗剤Ｃと布地洗浄具９との組合せを実施例１５（実施例９と同一）、洗剤Ｄと布地洗浄具９との組合せを実施例１６、洗剤Ｅと布地洗浄具９との組合せを実施例１７とした。
【００４７】
＜布地損傷性＞
上記実施例１〜１７並びに比較例１及び２のそれぞれについて、布地損傷性を以下の判定基準
○：布地の損傷がない
△：布地表面がわずかに毛羽立つ
×：布地表面が非常に毛羽立つ
により評価した。
【００４８】
（試験評価結果）
試験結果を表１及び２に示す。
【００４９】
【表１】
2009285340.tif 000003
【００５０】
【表２】
2009285340.tif 000004
【００５１】
表１及び２によれば、保水性は、布地洗浄具１が４．５、布地洗浄具２が６．５、布地洗浄具３が８．６、布地洗浄具４が１０．２、布地洗浄具５が１２．１、布地洗浄具６が１６．９、布地洗浄具７が２８．５、布地洗浄具８が１２．９、布地洗浄具９が１７．８、布地洗浄具１０が２９．７、布地洗浄具１１が１．８、及び布地洗浄具１２が１３．４であった。
【００５２】
起泡性は、布地洗浄具２〜１０及び１２が○、布地洗浄具１が△、そして、布地洗浄具１１が×であった。
【００５３】
洗浄性は、実施例１〜３、５〜１０、及び１３〜１７が◎、実施例４及び比較例１が○、実施例１１及び１２が△、そして、比較例２が×であった。
【００５４】
布地損傷性は、実施例１が△、実施例２〜１７及び比較例２が○、そして、比較例１が×であった。
【産業上の利用可能性】
【００５５】
本発明は、布地洗浄具及びそれを用いた布地の洗浄方法に関する。
【図面の簡単な説明】
【００５６】
【図１】布地洗浄具の斜視図である。
【図２】（ａ）及び（ｂ）は布地洗浄具の変形例の斜視図である。
【符号の説明】
【００５７】
１０  布地洗浄具
１１  布地洗浄部
１２  吸水起泡部
【図１】
2009285340.tif 000005
【図２】
2009285340.tif 000006